(57)【特許請求の範囲】
【請求項１】
マスク装着者の頭部に装着されることができるマスク本体と、
上記マスク装着者の顔面と上記マスク本体との間に存在するガス類導入空間にガス類を導入することができるガス類導入用開口と、
前記ガス類導入用開口に対して前記ガス類導入空間側に突出している逆錐台形状のガス類整流部と、
を備えているガス類供給用マスク装置において、
上記ガス類導入用開口が、上記ガス類を上記ガス類導入空間に導入することができる第１のガス類導入用開口と、上記第１のガス類導入用開口から上記ガス類導入空間に導入される上記ガス類をほぼ取り囲むことができるように、前記第１のガス類導入用開口の略径方向外側へ向かって開口することで上記ガス類をほぼリング状の状態でもって上記ガス類導入空間に導入することができる第２のガス類導入用開口とを備えており、
前記第１のガス類導入用開口を流れる第１のガス類は前記ガス類整流部の内側を流れ、前記第２のガス類導入用開口を流れる第２のガス類は前記ガス類整流部の外側を流れることを特徴とするガス類供給用マスク装置。
【請求項２】
上記第１のガス類導入用開口が、上記ガス類をほぼ束状の状態でもって上記ガス類導入空間に導入することができるように構成されていることを特徴とする請求項１に記載のガス類供給用マスク装置。
【請求項３】
上記第１のガス類導入用開口から上記ガス類導入空間に導入される上記ガス類の導入方向を第１の導入方向とするとともに、上記第２のガス類導入用開口から上記ガス類導入空間に導入される上記ガス類の導入方向を第２の導入方向としたときに、上記第１の導入方向に対して上記第２の導入方向が成す角度が、４０°〜６２°の範囲であることを特徴とする請求項１または２に記載のガス類供給用マスク装置。
【請求項４】
上記マスク本体が水平面上に表向きに載置されているマスク載置状態において、上記第１のガス類導入用開口が向いている方向と上記水平面とが成す第１の角度が、上記マスク本体を真横から見て、３０°〜６０°の範囲であり、
上記マスク載置状態において、上記第１のガス類導入用開口が向いている方向と上記マスク本体を真上から見て上記マスク本体を左右に二等分する二等分中心線との成す第２の角度が、上記マスク本体を真上から見て、０°〜１５°の範囲であることを特徴とする請求項１〜３のうちのいずれか１つに記載のガス類供給用マスク装置。
【請求項５】
平均的な体型および平均的な頭部形状を有するマスク装着者が上記マスク本体を正しく装着して真正面を向いているマスク正装着状態において、上記第１のガス類導入用開口が向いている方向と上記真正面を向いている仮想の垂直面とが成す第３の角度が、上記マスク本体を真横から見て、３０°〜６０°の範囲であり、
上記マスク正装着状態において、上記第１のガス類導入用開口が向いている方向と上記マスク本体を真正面から見て上記マスク本体を左右に二等分する二等分中心線との成す第４の角度が、上記マスク本体を真正面から見て、０°〜１５°の範囲であることを特徴とする請求項１〜３のうちのいずれか１つに記載のガス類供給用マスク装置。
【請求項６】
上記第１のガス類導入用開口が向いている方向にほぼ沿って延在するガス類供給用の筒状部と、
このガス類供給用筒状部の上端側から突出するように、この上端側に配設されているほぼ逆錐台形状のガス類整流部と、
このほぼ逆錐台形状のガス類整流部と上記ガス類供給用筒状部との間にほぼリング状に形成されているガス類吹き出し口とを備えていることを特徴とする請求項１〜５のうちのいずれか１つに記載のガス類供給用マスク装置。
【請求項７】
上記マスク本体の外側からガス類通過用開口ならびに上記第１および第２のガス類導入用開口をそれぞれ通して上記マスク本体の内側にガス類を送り込むためのガス類供給用の筒状部を備え、
上記ガス類供給用筒状部が、上記ガス類をほぼ上方に移送する第１の筒状部と、この第１の筒状部の上方側に連なっている第２の筒状部とを備え、
上記第２の筒状部が、上記第１の筒状部から送り込まれる上記ガス類の流れの方向を上記第１のガス類導入用開口が向いている方向に偏向させてから、上記ガス類を上記第１および第２のガス類導入用開口にそれぞれ送り込むように構成されていることを特徴とする請求項１〜６のうちのいずれか１つに記載のガス類供給用マスク装置。
【請求項８】
上記第１および第２のガス類導入用開口をそれぞれ有する第１のコネクタと、上記マスク本体の外側に延在するように、この第１のコネクタに連結されている第２のコネクタとを備え、
上記第２のコネクタが、ほぼ下方に延在している下側の筒状部と、この下側筒状部から斜め上方に向って弯曲した状態で延在するように、上記下側筒状部と一体的に構成されている上側の筒状部とを備え、
上記上側筒状部が、上記第１のコネクタに対して回動可能に構成されていることを特徴とする請求項１〜７のうちのいずれか１つに記載のガス類供給用マスク装置。
【請求項９】
上記第１のコネクタが、上記第１のガス類導入用開口が向いている方向にほぼ沿って延在するガス類供給用筒状部と、このガス類供給用筒状部の上端側から突出するように、この上端側に配設されているほぼ逆錐台形状のガス類整流部と、このほぼ逆錐台形状のガス類整流部と上記ガス類供給用筒状部との間にほぼリング状に形成されているガス類吹き出し口とを備えていることを特徴とする請求項８に記載のガス類供給用マスク装置。
【請求項１０】
左右一対の通気用開孔が、上記マスク本体が上記マスク装着者の頭部に装着されたときに、上記マスク本体のうちの、上記マスク装着者の左右両側の鼻孔の付近にそれぞれ対応する位置に配設され、
上記通気用開口のそれぞれの開口面積が、６３０〜１，２６０ｍｍ２の範囲であることを特徴とする請求項１〜９のうちのいずれか１つに記載のガス類供給用マスク装置。
【請求項１１】
上記第１のコネクタの上記第１のガス類導入用開口が向いている第１の方向における上記ガス類供給用筒状部の長さが、６〜１２ｍｍの範囲であり、
上記第１のコネクタの上記第１の方向とほぼ直交する方向における内側面積が、１１８〜２３６ｍｍ２の範囲であることを特徴とする請求項８〜１０のうちのいずれか１つに記載のガス類供給用マスク装置。
【請求項１２】
上記第１のコネクタの上記ガス類供給用筒状部が、ほぼ円筒形状であり、
上記ガス類供給用筒状部の内径が、１０〜２０ｍｍの範囲であり、
上記ガス類通過用開口が、ほぼ円形状であり、
上記ガス類通過用開口の直径が、８〜１２．５ｍｍの範囲であることを特徴とする請求項８〜１１のうちのいずれか１つに記載のガス類供給用マスク装置。
【発明の詳細な説明】
【技術分野】
【０００１】
本発明は、マスク装着者の頭部に装着されることができるマスク本体と、上記マスク装着者の顔面と上記マスク本体との間に存在するガス類導入空間に酸素ガスなどのガス類を導入することができるガス類導入用開口とを備えているガス類供給用マスク装置に関するものである。
【背景技術】
【０００２】
上述のような構成を備えている酸素マスク装置は、図１０に示すように、従来から知られている。そして、この図１０に示す従来の酸素マスク装置１０１は、図１〜図８に示す本発明の一実施例における酸素マスク装置１とは、以下に記述する点が相違している。すなわち、従来の酸素マスク装置１０１においては、第１のコネクタ１０２の軸心がほぼ上下方向に延在するように、この第１のコネクタ１０２がマスク本体１０３に取付けられている。そして、第２のコネクタ１０４の軸心がほぼ上下方向に延在するように、この第２のコネクタ１０４がほぼ円筒状に構成されている。このために、ガス供給用チューブ１０５からほぼ上方に向って上昇する酸素ガスは、第３のコネクタ１０６をほぼ上方に向って上昇してから、第２のコネクタ１０４に導入される。また、この第２のコネクタ１０４に導入された酸素ガスは、第１のコネクタ１０２を上昇するので、この第１のコネクタ１０２の比較的大きな上端開口１０７から周囲に拡散しつつ、マスク本体１０３内を上昇する。したがって、マスク装着者１１１は、鼻部１１２の下方付近に流動してきた酸素ガスを、鼻孔から比較的容易に吸引することができる。なお、符号１１３は、本発明による後述の酸素マスク装置１における左側の通気用開孔２２ａに相当する３本の左側スリット状開孔である。
【発明の概要】
【発明が解決しようとする課題】
【０００３】
しかし、図１０に示す従来の酸素マスク装置１０１の場合には、第１のコネクタ１０２の上端開口１０７がこの第１のコネクタ１０２の内周開孔（換言すれば、貫通孔）１１４と実質的に同一の孔径を有している。このために、上端開口１０７からマスク本体１０３内に流入する酸素ガスは、マスク本体１０３内のほぼ全体に同様に行き渡るおそれがある。したがって、マスク装着者１１１が鼻孔から上記酸素ガスを適切に吸引するためには、上記酸素ガスをマスク本体１０３内に比較的多量に供給する必要がある。このために、マスク本体１０３がマスク装着者１１１の顔面１１５に良好にはフィットしていないときには特に、マスク本体１０３内を上昇してきた酸素ガスが、マスク本体１０３の上端付近から流出して、マスク装着者１１１の目１１６の方に流れ着いてしまうおそれがある。この結果、マスク装着者１１１の目１１６が乾いた状態になるおそれがあるので、マスク装着者１１１が目１１６に不快感を持つおそれがある。さらに、上記従来の酸素マスク装置１０１の左右両側には、３本のスリット状開孔１１３がそれぞれ配設されている。そして、マスク装着者１１１が息を大きく吐くことがあると、マスク本体１０３の内側の圧力が高くなるために、マスク装着者１１１が息苦しく感じることがある。また、この息苦しさは、マスク装着者１１１の呼吸状態が快方に向かう（換言すれば、呼吸する空気の容量が増大する）につれて、顕著に感じられるようになる。
【０００４】
図１０に示す上記従来の酸素マスク装置１０１における上述のような欠点を是正するために、上記従来の酸素マスク装置１０１を変形することによって、図１１に示す変形例の酸素マスク装置１２１を作成することも考えられる。具体的には、図１１に示す変形例の酸素マスク装置においては、図１０に示す従来の酸素マスク装置１０１における３本のスリット状開孔１１３に代えて、図１などに示す大きな左側および右側の通気用開孔２２ａ、２２ｂとそれぞれ実質的に同一であってよい左側および右側の通気用開孔１２２を配設している。このために、図１１に示す変形例の酸素マスク装置１２１においては、図１０に示す従来の酸素マスク装置１０１に較べて通気用開孔１２２が大きくなっていることによって、マスク装着者１１１の呼吸時の息苦しさは改善することができる。しかし、第１のコネクタ１０２の上端開口１０７からガス類導入空間１２３に導入される酸素ガスが大きな開孔１２２からマスク本体１０３の外部に多量に流出したり、マスク本体１０３の外部からマスク本体１０３のガス類導入空間１２３内に空気が多量に流入して酸素ガスに混入したりする。このために、図１１に示す酸素マスク装置１２１を用いた場合には、適切な濃度の酸素ガスをマスク装着者１１１に吸引させるのが比較的困難である。
【０００５】
本発明は、上記従来の酸素マスク装置１０１および上記変形例の酸素マスク装置１２１における上述のような欠点を、比較的簡単な構成でもって、効果的に是正し得るようにしたものである。
【課題を解決するための手段】
【０００６】
本発明は、マスク装着者の頭部に装着されることができるマスク本体と、上記マスク装着者の顔面と上記マスク本体との間に存在するガス類導入空間にガス類を導入することができるガス類導入用開口と、前記ガス類導入用開口に対して前記ガス類導入空間側に突出している逆錐台形状のガス類整流部と、を備えているガス類供給用マスク装置において、上記ガス類導入用開口が、上記ガス類を上記ガス類導入空間に導入することができる第１のガス類導入用開口と、上記第１のガス類導入用開口から上記ガス類導入空間に導入される上記ガス類をほぼ取り囲むことができるように、前記第１のガス類導入用開口の略径方向外側へ向かって開口することで上記ガス類をほぼリング状の状態でもって上記ガス類導入空間に導入することができる第２のガス類導入用開口とを備えており、前記第１のガス類導入用開口を流れる第１のガス類は前記ガス類整流部の内側を流れ、前記第２のガス類導入用開口を流れる第２のガス類は前記ガス類整流部の外側を流れることを特徴とするガス類供給用マスク装置に係るものである。
【０００７】
そして、本発明は、その第１の観点によれば、上記第１のガス類導入用開口が、上記ガス類をほぼ束状の状態でもって上記ガス類導入空間に導入することができるように構成されている。また、本発明は、その第２の観点によれば、上記第１のガス類導入用開口から上記ガス類導入空間に導入される上記ガス類の導入方向を第１の導入方向とするとともに、上記第２のガス類導入用開口から上記ガス類導入空間に導入される上記ガス類の導入方向を第２の導入方向としたときに、上記第１の導入方向に対して上記第２の導入方向が成す角度が、４０°〜６２°の範囲（好ましくは、４２°〜６０°の範囲、さらに好ましくは、４４°〜５８°の範囲）である。
【０００８】
また、本発明は、その第３の観点の第１の態様によれば、上記マスク本体が水平面上に表向きに載置されているマスク載置状態において、上記第１のガス類導入用開口が向いている方向と上記水平面とが成す第１の角度が、上記マスク本体を真横から見て、３０°〜６０°の範囲（好ましくは、３５°〜５５°の範囲、さらに好ましくは、４０°〜５０°の範囲）であり、上記マスク載置状態において、上記第１のガス類導入用開口が向いている方向と上記マスク本体を真上から見て上記マスク本体を左右に二等分する二等分中心線との成す第２の角度が、上記マスク本体を真上から見て、０°〜１５°の範囲（好ましくは、０°〜１０°の範囲、さらに好ましくは、０°〜５°の範囲）である。そして、本発明は、その第３の観点の第２の態様によれば、平均的な体型および平均的な頭部形状を有するマスク装着者が上記マスク本体を正しく装着して真正面を向いているマスク正装着状態において、上記第１のガス類導入用開口が向いている方向と上記真正面を向いている仮想の垂直面とが成す第３の角度が、上記マスク本体を真横から見て、３０°〜６０°の範囲（好ましくは、３５°〜５５°の範囲、さらに好ましくは、４０°〜５０°の範囲）であり、上記マスク正装着状態において、上記第１のガス類導入用開口が向いている方向と上記マスク本体を真正面から見て上記マスク本体を左右に二等分する二等分中心線との成す第４の角度が、上記マスク本体を真正面から見て、０°〜１５°の範囲（好ましくは、０°〜１０°の範囲、さらに好ましくは、０°〜５°の範囲）である。
【０００９】
また、本発明は、その第４の観点によれば、上記第１のガス類導入用開口が向いている方向にほぼ沿って延在するガス類供給用の筒状部と、このガス類供給用筒状部の上端側から突出するように、この上端側に配設されているほぼ逆錐台形状のガス類整流部と、このほぼ逆錐台形状のガス類整流部と上記ガス類供給用筒状部との間にほぼリング状に形成されているガス類吹き出し口とを備えている。そして、本発明は、その第５の観点によれば、上記マスク本体の外側からガス類通過用開口ならびに上記第１および第２のガス類導入用開口をそれぞれ通して上記マスク本体の内側にガス類を送り込むためのガス類供給用の筒状部を備え、上記ガス類供給用筒状部が、上記ガス類をほぼ上方に移送する第１の筒状部と、この第１の筒状部の上方側に連なっている第２の筒状部とを備え、上記第２の筒状部が、上記第１の筒状部から送り込まれる上記ガス類の流れの方向を上記第１のガス類導入用開口が向いている上記方向に偏向させてから、上記ガス類を上記第１および第２のガス類導入用開口にそれぞれ送り込むように構成されている。
【００１０】
また、本発明は、その第６の観点によれば、上記第１および第２のガス類導入用開口をそれぞれ有する第１のコネクタと、上記マスク本体の外側に延在するように、この第１のコネクタに連結されている第２のコネクタとを備え、上記第２のコネクタが、ほぼ下方に延在している下側の筒状部と、この下側筒状部から斜め上方に向って弯曲した状態で延在するように、上記下側筒状部と一体的に構成されている上側の筒状部とを備え、上記上側筒状部が、上記第１のコネクタに対して回動可能に構成されている。そして、本発明は、上記第６の観点の第１の態様によれば、上記第１のコネクタが、上記第１のガス類導入用開口が向いている方向にほぼ沿って延在するガス類供給用筒状部と、このガス類供給用筒状部の上端側から突出するように、この上端側に配設されているほぼ逆錐台形状のガス類整流部と、このほぼ逆錐台形状のガス類整流部と上記ガス類供給用筒状部との間にほぼリング状に形成されているガス類吹き出し口とを備えている。さらに、本発明は、その第６の観点の第２の態様によれば、上記第１のコネクタの上記第１のガス類導入用開口が向いている第１の方向における上記ガス類供給用筒状部の長さが、６〜１２ｍｍの範囲（好ましくは、６．５〜１１．５ｍｍの範囲、さらに好ましくは、７．２〜１０．８ｍｍの範囲）であり、上記第１のコネクタの上記第１の方向とほぼ直交する方向における内側面積が、１１８〜２３６ｍｍ２（好ましくは、１４０〜２２０ｍｍ２の範囲、さらに好ましくは、１４６〜２１０ｍｍ２の範囲）の範囲である。そして、本発明は、その第６の観点の第３の態様によれば、上記第１のコネクタの上記ガス類供給用筒状部が、ほぼ円筒形状であり、上記ガス類供給用筒状部の内径が、１０〜２０ｍｍの範囲（好ましくは、１１．５〜１８．５ｍｍの範囲、さらに好ましくは、１２．５〜１７．５ｍｍの範囲）であり、上記ガス類通過用開口が、ほぼ円形状であり、上記ガス類通過用開口の直径が、８〜１２．５ｍｍの範囲（好ましくは、８．３〜１２ｍｍの範囲、さらに好ましくは、８．６〜１１．６ｍｍの範囲）である。
【００１１】
また、本発明は、その第７の観点によれば、左右一対の通気用開孔が、上記マスク本体が上記マスク装着者の頭部に装着されたときに、上記マスク本体のうちの、上記マスク装着者の左右両側の鼻孔の付近にそれぞれ対応する位置に配設され、上記通気用開口のそれぞれの開口面積が、６３０〜１，２６０ｍｍ２の範囲（好ましくは、７６０〜１，１８０ｍｍ２の範囲、さらに好ましくは、７９０〜１，１４０ｍｍ２の範囲）である。
【発明の効果】
【００１２】
請求項１に係る発明によれば、第２のガス類導入用開口からガス類導入空間に導入される第２のガス類が、第１のガス類導入用開口から上記ガス類導入空間に導入される第１のガス類のほぼ外周囲をほぼリング状の状態でもって取り囲むようにして、ガス類導入空間を流動し始める。このために、マスク装着者が息を吸い込むときなどに、マスク装着者は、上記第１のガス類と上記第２のガス類との両方をこのマスク装着者の鼻孔から効果的に吸引することができる。そして、マスク装着者が息を吸い込んでいないときなどには、上記第２のガス類のガス流が上記第１のガス類の外周囲をほぼリング状に取り囲んでいる。このために、上記第１のガス類が、左右一対の通気用開孔などから、マスク本体の外部に漏出するのを効果的に防止することができる。
【００１３】
また、請求項２〜５にそれぞれ係る発明によれば、請求項１に係る発明によって奏する効果を、比較的簡単な構成および比較的簡単な動作でもって、さらに確実に奏することができる。そして、請求項６に係る発明によれば、比較的簡単な構成および比較的簡単な動作でもって、マスク本体内をほぼ末広がりの状態でもって流動するほぼ中央のガス類と、このほぼ中央のガス類を取り囲むほぼリング状のガス類とから成るガス類の流れを、比較的簡単な構成でもって、比較的容易に作り出すことができる。
【００１４】
また、請求項７に係る発明によれば、ガス類がガス類供給用チューブからガス類供給用筒状部を通してガス類導入用開口に送られる際に、ガス類供給用チューブをガス類供給用筒状部からほぼ下方に吊り下げておくことができる。したがって、ガス類供給用チューブの取り扱いが、図１０に示す従来の酸素マスク装置の場合と同様に、比較的簡単である。そして、請求項８に係る発明によれば、請求項７に係る発明によって奏する効果を、比較的簡単な構造および比較的確実な動作でもって、さらに確実に奏することができる。
【００１５】
また、請求項９に係る発明によれば、請求項１に係る発明によって奏する効果を、比較的簡単で比較的小型な構造でもって、さらに確実に奏することができる。そして、請求項１０に係る発明によれば、マスク本体のうちの、マスク装着者の左右両側の鼻孔付近にそれぞれ対応する位置に比較的大きな左右一対の通気用開孔を配設したから、マスク装着者が息を大きく吐くことがあっても、マスク本体の内側の圧力が高くなることがなく、このために、マスク装着者が息苦しく感じるおそれが、比較的少ない。しかも、上記請求項１０に係る発明によれば、マスク本体内を上昇してきたガス類がマスク本体の上端付近から流出してマスク装着者の目の方に流れ着いて、マスク装着者の目が乾いた状態になるおそれが少ないので、マスク装着者が目に不快感を持つおそれが少ない。また、請求項１１および１２にそれぞれ係る発明によれば、第１のコネクタを比較的小型で比較的安価に構成することができる。
【図面の簡単な説明】
【００１６】
【図１】本発明を酸素マスク装置に適用した一実施例における酸素マスク装置の使用状態での縦断面図である。（実施例１）
【図２】図１に示す酸素マスク装置の使用状態での斜視図である。（実施例１）
【図３】酸素供給用チューブが右側に回動した状態での酸素マスク装置の図２と同様の斜視図である。（実施例１）
【図４】酸素供給用チューブが左側に回動した状態での酸素マスク装置の図２と同様の斜視図である。（実施例１）
【図５】図１に示す酸素マスク装置の、水平面上に載置した状態での縦断面図である。（実施例１）
【図６】図１に示す第１のコネクタの斜視図である。（実施例１）
【図７Ａ】図６のＡ−Ａ線に沿った断面図である。（実施例１）
【図７Ｂ】図７Ａの部分的な拡大図である。（実施例１）
【図８】図６に示す第１のコネクタの一部を切り欠いて示す斜視図である。（実施例１）
【図９】本発明の一参考例における酸素マスク装置の使用状態での縦断面図である。（参考例１）
【図１０】従来の酸素マスク装置の使用状態での縦断面図である。（従来例１）
【図１１】図１０に示す従来の酸素マスク装置を変形して示す酸素マスク装置の使用状態での縦断面図である。（変形例１）
【発明を実施するための最良の形態】
【００１７】
つぎに、本発明の一実施例における酸素マスク装置を、「１、酸素マスク本体の説明」、「２、第１〜第４のコネクタおよびガス類供給用チューブの説明」および「３、マスク本体へのガス類の吹き出し状態の説明」に項分けして、図１〜図９を参照しつつ説明する。
【００１８】
１、酸素マスク本体の説明
【００１９】
ガス類供給用マスク装置としての酸素マスク装置１は、図２、図５などに示すように、患者などのマスク装着者２の顔面３のほぼ中央の部分（具体的には、鼻部４および口部５ならびにこれらの周辺部）を覆うことができるマスク本体６を備えている。なお、マスク本体６は、軟質塩化ビニールなどのほぼ透明な（換言すれば、透光性の）軟質合成樹脂などから、左右ほぼ対称的な形状を有するように、一体成形されていてよい。そして、マスク本体６の外周部分１１のうちの少なくとも左右両側部１１ａ、１１ｂは、そのほぼ全体にわたってほぼ平らな面に（換言すれば、マスク本体６を図５に示すように水平面８４に上向きに載置したときに、ほぼ水平な面になるように）構成されている。なお、外周部分１１のうちの上側部１１ｃは、マスク装着者２の鼻部４の形状にほぼ対応するように、外側に向って多少突出している弯曲形状であってよい。そして、外周部分１１のうちの下側部１１ｄは、マスク装着者２の顎部１２のほぼ上方付近に対応するように、左右両側部１１ａ、１１ｂとほぼ連続しているほぼ平らな面であってもよいが、マスク装着者２の顎部１２のほぼ下方付近に対応するように、前方に向って多少突出している弯曲形状であってもよい。
【００２０】
マスク本体６の外周部分１１の左右一対の側端部１１ａ、１１ｂのうちのほぼ上方方向における中間部分には、図３などに示すように、これら左右一対の側端部１１ａ、１１ｂから左右両外側に向かってそれぞれほぼ等脚台形状などのほぼ台形状などに突出している左右両側の突出部１３ａ、１３ｂが形成されている。そして、これら左右両側の突出部１３ａ、１３ｂには、柔軟性および弾性を有する長手状取付け部材としての偏平形状のゴム紐１４の左右両端部がそれぞれ挿通されて取付けられる左右一対の挿通孔１５がそれぞれ配設されている。また、同様の挿通孔１６が左右一対の側端部１１ａ〜１１ｂのほぼ上下方向に沿って例えば３個ずつ順次配設されている。さらに、ゴム紐１４と同様に構成されていてよい第２のゴム紐１７の両端部が、ゴム紐１４に代えてまたはゴム紐１４に加えて、上記３個ずつの挿通孔１６のうちのいずれか１個に挿通されて取付けられていてもよい。そして、左右一対の側壁部１１ａ、１１ｂのそれぞれには、上下一対の挿通用スリット２１が配設されている。また、これら上下一対の挿通用スリット２１のうちの上側の挿通用スリットは、ほぼ左右方向において挿通孔１５（換言すれば、突出部１３ａ、１３ｂ）にそれぞれ隣接している。なお、これらの挿通用スリット２１のうちの左右一対の挿通用スリットには、柔軟性および弾性を有する長手状取付け部材としての伸縮包帯の両端部が、偏平形状のゴム紐１４に代えて、それぞれ挿通されて取付けられることができる。なお、ゴム紐１４、１７および伸縮包帯のそれぞれは、マスク装着者２の左側の頬部、後頭部および右側の頬部をそれぞれ通るように、マスク装着者２の頭部に掛け渡される。
【００２１】
マスク本体６のうちの左右両側の多少上方の部分には、図２、図５などに示すように、マスク本体６の内側と外側との間の通気を行うための左右一対の通気用開孔２２ａ、２２ｂがそれぞれ配設されている。なお、これら左右一対の通気用開孔２２ａ、２２ｂのそれぞれは、マスク本体６がマスク装着者２に装着されている状態においては、マスク装着者２の左右両側の鼻孔およびこれら左右両側の鼻孔のほぼ周囲にそれぞれ対応する位置に配置される。そして、右側の通気用開孔２２ｂは、左側の通気用開孔２２ａと左右ほぼ対称的な形状を有していてよい。また、マスク本体６のうちのほぼ中心の箇所から多少下方の部分には、第１および第２のコネクタ２３、２４をそれぞれ取付けるためのコネクタ取付け部２５が配設されている。また、コネクタ取付け部２５には、ほぼ円柱形状などのほぼ柱形状であってよい開孔２６が形成されている。また、コネクタ取付け部２５は、マスク本体６の水平方向および垂直方向のそれぞれに対して傾斜した状態でもって、マスク本体６に配設されている。そして、コネクタ取付け部２５の上記傾斜方向は、下方から上方に向かって外側に突出する方向であってよい。
【００２２】
それぞれほぼ三角形状であってよい左右一対の通気用開孔２２ａ、２２ｂのそれぞれは、図２、図５などに示すように、３箇所の角部がそれぞれ丸められたほぼ二等辺三角形状であってよい。そして、左右一対の通気用開孔２２ａ、２２ｂのそれぞれは、マスク本体６がマスク装着者２に装着されている状態においては、側方から見て、鼻部４の上方方向におけるほぼ中間の高さから口部５のやや下方の位置まで延在していてよい。なお、左右一対のほぼ二等辺三角形状などのほぼ三角形状などの通気用開孔２２ａ、２２ｂのそれぞれの底辺３１の側は、図５に示すように、左側部１１ａおよび右側部１１ｂにそれぞれ比較的隣接しかつこれらの左側部１１ａおよび１１ｂのそれぞれに対してほぼ平行に延在している。そして、左右一対のほぼ二等辺三角形状などのほぼ三角形状などの通気用開孔２２ａ、２２ｂのそれぞれは、マスク本体６をほぼ上下方向に延在している底辺３１のほぼ両端からマスク本体６の左右方向における中心に向って途中まで延在してから互いに繋がっている上側および下側の稜線３２、３３をそれぞれ備えている。なお、図示の実施例においては、左右両側の通気用開孔２２ａ、２２ｂのそれぞれの底辺３１に近似した直線的な長さＬ１は、ほぼ５５ｍｍである。また、左右両側の通気用開孔２２ａ、２２ｂのそれぞれのほぼ二等辺三角形などのほぼ三角形としての高さＬ２は、ほぼ３５ｍｍである。そして、上記長さＬ１に対する上記高さＬ２の比は、ほぼ０．６５である。また、左右両側の通気用開孔２２ａ、２２ｂのそれぞれの開口面積Ｓ１は、ほぼ９５０ｍｍ２である。さらに、上記長さＬ１、上記高さＬ２および上記開口面積Ｓ１のそれぞれの数値は、実用性の観点から見て一般的に、つぎの（ａ）項〜（ｄ）項に記載の範囲であるのが好ましい：
（ａ）上記長さＬ１：４２〜７０ｍｍの範囲（さらに好ましくは、４６〜６６ｍｍの範囲、最も好ましくは、４８〜６４ｍｍの範囲）、
（ｂ）上記長さＬ２：２８〜４４ｍｍの範囲（さらに好ましくは、２９〜４２ｍｍの範囲、最も好ましくは、３０〜４０ｍｍの範囲）、
（ｃ）上記比Ｌ２／Ｌ１：０．５２〜０．８２の範囲（さらに好ましくは、０．５４〜０．７８の範囲、最も好ましくは、０．５６〜０．７６の範囲）、および
（ｄ）上記開口面積Ｓ１：６３０〜１，２６０ｍｍ２の範囲（さらに好ましくは、７６０〜１，１８０ｍｍ２の範囲、最も好ましくは、７９０〜１，１４０ｍｍ２の範囲）。
【００２３】
コネクタ取付け部２５は、図１、図５などに示すように、開孔２６の外周部分を構成するように、開孔２６に向って突出しているほぼリング状の突壁部３４と、この突壁部３４の外周付近から外側に向って突出しているほぼ円筒形状などのほぼ筒状であってよい突壁部３５とを備えている。また、コネクタ取付け部２５（換言すれば、リング状突壁部３４および筒状突壁部３５）は、マスク本体６の水平方向および垂直方向のそれぞれに対して傾斜した状態でもって、マスク本体６に配設されている。そして、コネクタ取付け部２５の上記傾斜方向は、下方から上方に向かって外側に突出する方向であってよい。さらに、コネクタ取付け部２５のほぼ下方側には、このコネクタ取付け部２５に隣接するように、ガス濃度測定用チューブ（図示せず）などを連結することができる第２のコネクタ取付け部３６が配設されている。また、この第２のコネクタ取付け部３６は、ほぼ円形などであってよい開孔３７を備えている。さらに、第２のコネクタ取付け部３６（換言すれば、開孔３７）は、垂直方向に対して多少傾斜している。そして、第２のコネクタ取付け部３６の上記傾斜方向は、下方から上方に向かって外側に多少突出する方向であってよい。なお、上記ガス濃度測定用チューブは、マスク本体６の内部における炭酸ガスなどのガスの濃度を測定するのに用いられることができる。
【００２４】
２、第１〜第４のコネクタおよびガス類供給用チューブの説明
【００２５】
酸素マスク装置１は、図１、図５などに示すように、第１のコネクタ２３、第２のコネクタ２４、第３のコネクタ４１、ガス類供給用チューブ４２および第４のコネクタ（図示せず）をそれぞれ備えている。なお、上記第１〜第４のコネクタのそれぞれは、硬質塩化ビニールなどのほぼ透明な（換言すれば、透光性の）硬質合成樹脂などから、一体成形されていてよい。また、ガス類供給用チューブ４２は、軟質塩化ビニールなどのほぼ透明な（換言すれば、透光性の）軟質合成樹脂などから、一体成形されていてよい。そして、第１のコネクタ２３は、図６〜図８などに示すように、この第１のコネクタ２３の軸心方向Ｃ１にほぼ沿って延在するほぼ円筒形状などのほぼ筒形状であってよい第２の筒状部としてのガス類供給用の筒状部４３と、この筒状部４３の上端に一体的に配設されていてよい上端面部４４と、この上端面部４４付近から軸心方向Ｃ１に沿ってほぼ上方に向ってほぼ一体的に突出しているほぼ逆円錐台形状（換言すれば、軸心方向Ｃ１においてほぼ倒立状態のほぼ円錐台形状）、ほぼ逆多角錐台形状（換言すれば、軸心方向Ｃ１においてほぼ倒立状態のほぼ多角錐台形状）などのほぼ逆錐台形状（換言すれば、軸心方向Ｃ１においてほぼ倒立状態のほぼ錐台形状）などのガス類整流部４５とを備えている。また、上端面部４４のほぼ中央部分には、ほぼ円形状、ほぼ多角形状などであってよいガス類通過用の開口４６が配設されている。さらに、上端面部４４の外周囲には、軸心方向Ｃ１に対してほぼ直交する方向に突設されかつほぼリング状であってよい外向きフランジ部５１が配設されている。そして、筒状部４３のうちの外向きフランジ部５１よりも軸心方向Ｃ１における外側寄り（換言すれば、下方寄り）の外周囲には、軸心方向Ｃ１に対してほぼ直交する方向に突設されかつほぼ円環形状などのほぼリング形状であってよい第２の外向きフランジ部５２が、配設されている。なお、第２の外向きフランジ部５２は、外向きフランジ部５１の内径とほぼ同一の内径を有していてよく、また、外向きフランジ部５１の外径よりも十分小さい外径を有していてよい。
【００２６】
筒状部４３には、図６〜図８に示すように、ほぼ円周方向などのほぼ周方向に沿って好ましくはほぼ等間隔（換言すれば、ほぼ９０°間隔）でもって、４本などの係合用の腕部５３がそれぞれ形成されている。このために、筒状部４３には、４本などの係合用腕部５３の両側において、下端から軸心方向に向って途中まで延在しているスリット（換言すれば、切込み）５４がそれぞれ配設されている。そして、これらの係合用腕部５３の下端部の外側面には、係合用突起部（換言すれば、係合用爪部）５５がそれぞれ突設されている。なお、これらの係合用腕部５３のそれぞれにおいては、筒状部４３のうちの係合用腕部５３以外の部分に較べて、係合用突起部５５だけが軸心方向Ｃ１における下方側に突出していてよい。そして、第１のコネクタ２３をマスク本体６に取付ける際には、第１のコネクタ２３の筒状部４３がマスク本体６の内側から開孔２６に挿通される。なお、この挿通によって、第２の外向きフランジ部５２がマスク本体６などの弾性変形によりこのマスク本体６のリング状突壁部３４を乗り越える。このために、マスク本体６のリング状突壁部３４が、第１のコネクタ２３の外向きフランジ５１と第２の外向きフランジ５２との間に挟み込まれるので、第１のコネクタ２３は、マスク本体６に取付けられる。さらに、第１のコネクタ２３には、補強用リブ５６が、筒状部４３の内周面と上端面部４４の軸心方向Ｃ１における外側面（換言すれば、下方側）とに跨がるように一体成形されて、配設されている。なお、補強用リブ５６は、図示の実施例においては、ほぼ等間隔でもって、４個形成されている。
【００２７】
逆錐台形状などのガス類整流部４５は、図６〜図８などに示すように、このガス類整流部４５の軸心方向Ｃ１における上側面６１がほぼ全体にわたって開放されているほぼ中空の形状に構成されている。そして、ガス類整流部４５の軸心方向Ｃ１における下端側には、ほぼ円環形状、ほぼ多角形の環形状などのほぼリング形状であってよい内向きフランジ部６２が、このガス類整流部４５に一体的に形成されていてよい。したがって、ガス類整流部４５の下端部には、ほぼ円形状、ほぼ多角形状などの下端開口６４が第１のガス類導入用開口として形成されている。また、ガス類整流部４５は、このガス類整流部４５の外側面と上端面部４４の上側面とにそれぞれ一体的に連設されている複数本（例えば、４本）の支柱部６３によって、上端面部４４の上側面に配設されている。なお、支柱部６３は、ほぼ等間隔（換言すれば、ほぼ９０°間隔）でもって、配設されていてよい。
【００２８】
図６〜図８などに示す第１のコネクタ２３のほぼ円筒形状などの筒状部４３は、図示の実施例においては、内径Ｌ３がほぼ１５ｍｍであり、軸心方向Ｃ１の長さＬ４がほぼ９ｍｍであり、軸心方向Ｃ１とほぼ直交する方向における内側面積がほぼ１７６ｍｍ２である。また、第１のコネクタ２３のガス類通過用開口４６は、図示の実施例においては、直径Ｌ５がほぼ１０ｍｍであり、開口４６の大きさを示す開口面積がほぼ７８ｍｍ２である。そして、上端面部４４とガス類整流部４５との間に形成されている（換言すれば、上端面部４４とガス類整流部４５との間で最も狭い隙間である）ほぼリング形状のガス類噴き出し口６５の間隔（換言すれば、開口幅）Ｌ６は、図示の実施例においては、ほぼ０．７ｍｍである。また、第２のガス類導入用開口としてのガス類噴き出し口６５と直交する方向Ｃ２がガス類整流部４５の軸心方向Ｃ１と成す角度θ１は、ほぼ５０°である。そして、開口６４の直径Ｌ７は、図示の実施例においては、ほぼ６ｍｍである。また、ガス類整流部４５の上側面６１の内周直径Ｌ８は、図示の実施例においては、ほぼ１２ｍｍである。そして、ガス類整流部４５の下側面６６の直径Ｌ９は、ほぼ７．８ｍｍである。さらに、軸心方向Ｃ１に対するガス類整流部４５の内周面７１および外周面７２のそれぞれの傾斜角度は、ほぼ３０°である。
【００２９】
第１のコネクタ２３に関する上記内径Ｌ３などの上記各部の数値は、実用性の観点から見て一般的に、つぎの（ａ）項〜（ｋ）項に記載の範囲であるのが好ましい：
（ａ）ほぼ円筒形状などの筒状部４３の内径（換言すれば、内周面の平面的に見た最大長さ）Ｌ３：１０〜２０ｍｍの範囲（さらに好ましくは、１１．５〜１８．５ｍｍの範囲、最も好ましくは、１２．５〜１７．５ｍｍの範囲）、
（ｂ）ほぼ円筒形状などのほぼ筒形状の筒状部４３の軸心方向Ｃ１の長さＬ４：６〜１２ｍｍの範囲（さらに好ましくは、６．５〜１１．５ｍｍの範囲、最も好ましくは、７．２〜１０．８ｍｍの範囲）、
（ｃ）ほぼ円筒形状などのほぼ筒形状の筒状部４３の軸心方向Ｃ１とはほぼ直交する方向における内側面積：１１８〜２３６ｍｍ２の範囲（さらに好ましくは、１４０〜２２０ｍｍ２の範囲、最も好ましくは、１４６〜２１０ｍｍ２の範囲）、
（ｄ）ガス類通過用開口４６の直径（換言すれば、内周面の平面的に見た最大長さ）Ｌ５：８〜１２．５ｍｍの範囲（さらに好ましくは、８．３〜１２ｍｍの範囲、最も好ましくは、８．６〜１１．６ｍｍの範囲）、
（ｅ）ガス類導入用開口４６の開口面積：５２〜１０４ｍｍ２の範囲（さらに好ましくは、６２．４〜９７．５ｍｍ２の範囲、最も好ましくは、６５〜９３．６ｍｍ２の範囲）、
（ｆ）ほぼリング形状のガス類噴き出し口６５の間隔Ｌ６：０．５６〜０．８８ｍｍの範囲（さらに好ましくは、０．５８〜０．８４ｍｍの範囲、最も好ましくは、０．６〜０．８２ｍｍ２の範囲）、
（ｇ）ガス類噴き出し口６５が軸心方向Ｃ１と成す角度θ１：４０°〜６２°の範囲（さらに好ましくは、４２°〜６０°の範囲、最も好ましくは、４４°〜５８°の範囲）、
（ｈ）ガス類整流部４５の下端開口６４の直径（換言すれば、内周面の平面的に見た最大長さ）Ｌ７：４．８〜７．６ｍｍの範囲（さらに好ましくは、５〜７．２ｍｍの範囲、最も好ましくは、５．２〜７ｍｍの範囲）、
（ｉ）ガス類整流部４５の上側面６１の内周直径（換言すれば、上側面６１の内周を平面的に見た最大長さ）Ｌ８：９．６〜１５ｍｍの範囲（さらに好ましくは、１０〜１４．４ｍｍの範囲、最も好ましくは、１０．４〜１４ｍｍの範囲）、
（ｊ）ガス類整流部４５の下側面６６の内周直径（換言すれば、下側面６６の内周を平面的に見た最大長さ）Ｌ９：６．２〜９．８ｍｍの範囲（さらに好ましくは、６．５〜９．４ｍｍの範囲、最も好ましくは、６．７〜９．１ｍｍの範囲）、および
（ｋ）軸心方向Ｃ１に対するガス類整流部４５の内周面７１および外周面７２のそれぞれの傾斜角度：２４°〜３７．５°の範囲（さらに好ましくは、２５°〜３６°の範囲、最も好ましくは、２６°〜３５°の範囲）。
【００３０】
第２のコネクタ２４の下端側の部分は、図１、図５などに示すように、第３のコネクタ４１が取付けられるほぼ円筒形状などのほぼ筒形状の下側筒状部７３を第１の筒状部として構成している。なお、この下側筒状部７３は、図１に示す状態においては、ほぼ上下方向に延在している。そして、第２のコネクタ２４の上端側の部分は、軸心方向Ｃ１にほぼ沿って延在するようになるように、この第２のコネクタ２４の下端側の部分から上方に向かって斜め方向に屈曲している。また、第２のコネクタ２４の上端付近である第２の筒状部としてのほぼ円筒状などのほぼ筒状の上側筒状部７４は、第１のコネクタ２３のガス類供給用筒状部４３とマスク本体６の筒状突壁部３５との間に挿入されている。そして、この挿入によって、第２のコネクタ２４のリング状の上壁部７５がマスク本体６の筒状突壁部３５の下端に当接する。また、第１のコネクタ２３の係合用腕部５３の係合用突起部５５が、抜け止めのために、リング状上壁部７５の下側面に係合する。この結果、第２のコネクタ２４は、第１のコネクタ２３に対して比較的回動し易い状態でもって、第１のコネクタ２３に取付けられることができる。さらに、第３のコネクタ４１は、図１、図２などに示すように、円筒形状などの大径でかつ有底の筒状部７６と、この筒状部７６の下端部に一体成形などにより連結されている円筒形状などの小径の筒状部７７とをそれぞれ備えている。なお、筒状部７６の底部のほぼ中心位置には、筒状部７７と連通するための貫通孔８１が形成されている。そして、小径の筒状部７７内には、ガス類供給用チューブ４２の一端部が挿入されて連結されている。また、ガス類供給用チューブ４２の上端開口は、第１の筒状部としての大径の筒状部７６に貫通孔８１を介して連通している。さらに、ガス類供給用チューブ４２の他端部には、前記第４のコネクタ（図示せず）が連結されている。そして、この第４のコネクタは、酸素ボンベなどのガスボンベ（図示せず）や、病室などに配設されたガス類供給用ノズル（図示せず）に、必要に応じて接続されることができる。
【００３１】
３、マスク本体へのガス類の吹き出し状態の説明
【００３２】
酸素マスク装置１が図１などに示すようにマスク装着者２の顔面３に装着されているときには、第１のコネクタ２３のガス類整流部４５からマスク本体６内の空間（換言すれば、顔面３とマスク本体６との間に存在するガス類導入空間）８２に送り込まれるガス流８３の方向（換言すれば、ガス類整流部４５の上側面６１が向いている方向）は、送り込みの少なくとも最初には、軸心方向Ｃ１とほぼ一致している。そして、酸素マスク装置１（換言すれば、マスク本体６）が図５に示すように水平面８４上に表向きに載置されているとき（以下、「図５に示すマスク載置状態」という。）においては、上記軸心方向Ｃ１は、平面的に見て、マスク本体６（換言すれば、酸素マスク装置１）のほぼ上下方向に延在している。したがって、上記軸心方向Ｃ１は、平面的に見て、図５に示すマスク本体６（換言すれば、酸素マスク装置１）を真上から見て左右に二等分している仮想の二等分中心線（換言すれば、マスク本体６の上下方向に延在する中心線）とほぼ一致している。このために、両者の成す角度は、平面的に見て、ほぼ０°である。また、図５に示すマスク載置状態においては、上記軸心方向Ｃ１は、マスク本体６（換言すれば、酸素マスク装置１）の前面部の多少下方から後面部の多少上方に向って斜め方向に直線的に延在している。そして、上記軸心方向Ｃ１と水平面８４との成す角度θ２は、マスク本体６を真横から見て（換言すれば、図５に示すマスク載置状態において）、ほぼ４５°である。さらに、図１には、平均的な体形および平均的な頭部形状をそれぞれ有する人間（換言すれば、マスク装着者２）が酸素マスク装置１（換言すれば、マスク本体６）を正しく装着して正面を向いたマスク装着状態（以下、「図１に示すマスク正装着状態」という。）が示されている。なお、この図１に示すマスク正装着状態は、図５に示すように酸素マスク装置１を水平面８４上に表向きに載置した状態に較べて、酸素マスク装置１をほぼ９０°立ち上がらせた点のみが実質的に相違している。したがって、図５における水平面８４は、図１においては、仮想の垂直面（換言すれば、仮想の鉛直面）８５に置き換えられている。また、図５における角度θ２は、図１においては、角度θ３に置き換えられている。なお、２つの角度θ２およびθ３のそれぞれは、本発明の目的を達成するためには、実用性の観点から見て一般的に、３０°〜６０°の範囲であるのが好ましく、３５°〜５５°の範囲であるのがさらに好ましく、４０°〜５０°の範囲であるのが最も好ましい。そして、上記軸心方向Ｃ１がマスク本体６（換言すれば、酸素マスク装置１）を正面から見てこのマスク本体６を左右に二等分している仮想の二等分中心線（換言すれば、マスク本体６の頭部側から顎部側まで延在する二等分中心線）と成す角度θ４（図示せず）は、本発明の目的を達成するためには、実用性の観点から見て一般的に、０°〜１５°の範囲であるのが好ましく、０°〜１０°の範囲であるのがさらに好ましく、０°〜５°の範囲であるのが最も好ましい。
【００３３】
マスク装着者２が図１に示すように酸素マスク装置１を装着しているマスク装着状態において、前記第４のコネクタに酸素ガスなどのガス類が供給されると、このガス類は、この第４のコネクタからガス供給用チューブ４２および第３のコネクタ４１をそれぞれ介して第２のコネクタ２４に送り込まれる。そして、第２のコネクタ２４に送り込まれた上記ガス類は、第２のコネクタ２４から第１のコネクタ２３のガス類供給用筒状部４３に送り込まれる。また、第１のコネクタ２３のガス類供給用筒状部４３に送り込まれたガス類の一半部分（以下、「上記第１のガス類」という。）は、ガス類通過用開口４６および下端開口６４をそれぞれ介してガス類整流部４５内に送り込まれ、さらに、このガス類整流部４５を介して上側面６１からマスク本体６の内側に送り込まれる。そして、上記ガス類の他半部分（以下、「上記第２のガス類」という。）は、ガス類通過用開口４６およびガス類噴き出し口６５をそれぞれ介してマスク本体６の内側に送り込まれる。
【００３４】
上述のようにマスク本体６の内側に送り込まれる上記第１のガス類のガス流８３は、図１に示すように、ガス類整流部４５からマスク本体６の内側に軸心方向Ｃ１にほぼ沿った方向でもって送り出される。また、上記第２のガス類のガス流８６は、ガス類通過用開口４６からマスク本体６の内側に直交方向Ｃ２にほぼ沿った方向でもって送り出される。そして、上記第１のガス類のガス流８３は、マスク装着者２が息を吸うときに、図１に示すように、このマスク装着者２の鼻孔のほぼ下端に向うように偏向する。したがって、マスク装着者２は、上記第１のガス類のガス流８３を鼻部４から効果的に吸引することができる。これに対し、上記第２のガス類のガス流８６は、ガス類整流部４５の外周面７２の存在と、ガス類噴き出し口６５の噴き出し方向（換言すれば、直交方向Ｃ２）との影響を受けるために、マスク装着者２が息を吸うときなどには少なくとも、上記第１のガス類のガス流８３と極端に多く合流することはない。そして、上記第２のガス類のガス流８６は、上記第１のガス類のガス流８３の外周囲を多少距離を置いてほぼリング状に取り囲むようにして、第１のコネクタ２３から離間しながら流動し始める。また、上記第１のガス類のガス流８３および上記第２のガス類のガス流８６のそれぞれが上述のように流動する場合には、マスク装着者２が息を吸い込むときなどに、マスク装着者２は、上記第１のガス類と上記第２のガス類との両方をこのマスク装着者２の鼻孔から効果的に吸引することができる。そして、マスク装着者２が息を吸い込んでいないときなどには、上記第２のガス類のガス流８６が上記第１のガス類のガス流８２の外周囲をほぼリング状に取り囲んでいる。このために、上記第１のガス類が、左右一対の通気用開孔２２ａ、２２ｂなどから、マスク本体６の外部に漏出するのを効果的に防止することができる。
【００３５】
図９には、本発明の一参考例における酸素マスク装置（以下、「上記参考例のマスク装置」という。）９１が示されている。上記参考例のマスク装置９１は、図１などに示す本発明の一実施例における酸素マスク装置（以下、「上記実施例のマスク装置」という。）１の構成と較べて、第１のコネクタ２３のみの構成が相違している。具体的には、上記参考例のマスク装置９１においては、上記実施例のマスク装置１の第１のコネクタ２３がそれぞれ備えているガス類整流部４５とこのガス類整流部４５を上端面部４４に結合している４本の支柱部６３とが、いずれも省略されている。そして、上記参考例のマスク装置９１においては、第２のコネクタ２４から第１のコネクタ２３のガス類供給用筒状部４３に送り込まれたガス類のほぼ全部は、ガス類通過用開口４６を介してマスク本体６の内側に送り込まれる。したがって、上述のようにマスク本体６の内側に送り込まれたガス類のガス流８３は、図９に示すように、ガス類通過用開口４６からマスク本体６の内側に軸心方向Ｃ１にほぼ沿った方向でもって送り出される。そして、上記ガス類のガス流８３は、マスク装着者２が息を吸うときに、図９に示すように、マスク装着者２の鼻孔のほぼ下端に向うように多少偏向する。このために、マスク装着者２は、上記ガス類のガス流８３を鼻部４から吸引することができる。しかし、図９に示す上記参考例の場合には、図１に示す実施例の場合のように上記ガス類のガス流８３をほぼリング状に取り囲む上記第２のガス類のガス流８６は存在していない。このために、上記ガス類がそれぞれ比較的大きな左右一対の通気用開孔２２ａ、２２ｂなどを通って酸素マスク装置１の外部に漏出してしまう。したがって、マスク装着者２の鼻孔付近に供給される上記ガス類には、空気などが多量に混入されるので、空気などが多量に混入されて酸素濃度などが低下した上記ガス類がマスク装着者２の鼻孔から吸引されてしまう。したがって、マスク装着者２による上記ガス類の吸引効果が低下するとともに、上記ガス類が酸素マスク装置１の外部に無駄に消散してしまう。
【００３６】
ガス類供給用チューブ４２が、図２に示すように、正面から見て左右のいずれにも位置ずれしていない状態においては、第２のコネクタ２４は、図１、図２などに示すように、第１のコネクタ２３の軸心方向Ｃ１における下端に対してほぼ真下に位置している。しかし、ガス類供給用チューブ４２が何らかの理由でもって図２に示す状態から図３に示すようにマスク本体６の右側に往動したときには、第２のコネクタ２４が第１のコネクタ２３（換言すれば、マスク本体６）に対して図２における右回りに往回動する。したがって、ガス類供給用チューブ４２は、このような場合でも、捩れたり折れ曲ったりすることが特になくて、ほぼ正常なガス類供給状態を保持する。そして、ガス類供給用チューブ４２が図３に示す状態から図２に示す状態に復動するときには、第２のコネクタ２４が第１のコネクタ２３（換言すれば、マスク本体６）に対して図３における左回りに復回動する。したがって、ガス類供給用チューブ４２は、このような場合でも、捩れたり折り曲がったりすることが特になくて、ほぼ正常なガス類供給状態を保持する。さらに、ガス類供給用チューブ４２が何らかの理由でもって図２に示す状態から図４に示すようにマスク本体６の左側に往動したときにも、第２のコネクタ２４が第１のコネクタ２３（換言すれば、マスク本体６）に対して図２における左回りに往回動する。したがって、ガス類供給用チューブ４２は、このような場合でも、捩れたり折れ曲ったりすることが特になくて、ほぼ正常なガス類供給状態を保持する。そして、ガス類供給用チューブ４２が図４に示す状態から図２に示す状態に復動したときには、第２のコネクタ２４が第１のコネクタ２３（換言すれば、マスク本体６）に対して図３における右回りに復回動する。したがって、ガス類供給用チューブ４２は、このような場合でも、不必要に捩れたり折れ曲ったりすることが特になくて、ほぼ正常なガス類供給状態を保持する。
【００３７】
以上、本発明の一実施例について詳細に説明したが、本発明は、この実施例に限定されるものではなく、特許請求の範囲に記載されている発明の趣旨に基づいて各種の変更および修正を施されることが可能である。
【００３８】
例えば、上述の実施例においては、第１のコネクタ２３を第２のコネクタ２４とは別体に構成した。しかし、第１のコネクタ２３を第２のコネクタ２４と一体に構成することも可能である。
【００３９】
また、上述の実施例においては、第３のコネクタ４１を第２のコネクタ２４とは別体に構成した。しかし、第３のコネクタ４１を第２のコネクタ２４と一体に構成することも可能である。
【００４０】
また、上述の実施例においては、左右一対の通気用開孔２２ａ、２２ｂのそれぞれを互いにほぼ左右対称的な形状を有するほぼ三角形状に構成した。しかし、左右一対の通気用開孔２２ａ、２２ｂのそれぞれは、必ずしもほぼ三角形状である必要はなく、ほぼ半円形状、長円形状、ほぼ楕円形状、ほぼ多角形状（ほぼ三角形状を除く。）などの別の形状であってもよい。
【００４１】
さらに、上述の実施例においては、ガス類整流部４５の下端開口６４をほぼ円形状に構成した。しかし、下端開口６４は、必ずしもほぼ円形状に構成される必要はなくて、ほぼ六角形状、ほぼ八角形状などの多角形状であってもよく、また、楕円形状、ほぼ長円形状、ほぼリング形状などであってもよい。
【符号の説明】
【００４２】
１        酸素マスク装置（ガス類供給用マスク装置）
２        マスク装着者
３        顔面
６        マスク本体
２２ａ    左側の通気用開孔
２２ｂ    右側の通気用開孔
２３      第１のコネクタ
２４      第２のコネクタ
４３      ガス類供給用筒状部（第２の筒状部）
４５      ガス類整流部
４６      ガス類通過用開口
６４      下端開口（第１のガス類導入用開口）
６５      ガス類吹き出し口（第２のガス類導入用開口）
７３      下側筒状部（第１の筒状部）
７４      上側筒状部（第２の筒状部）
７６      有底の筒状部（第１の筒状部）
８２      ガス類導入空間
８４      水平面
８５      仮想の垂直面（仮想の鉛直面）
Ｃ１      軸心方向（第１の導入方向）
Ｃ２      直交方向（第２の導入方向）
Ｌ３      内径
Ｌ４      長さ
θ１      角度
θ２      ガス類導入方向（第２の導入方向、第１の角度）
θ３      第３の角度
【図１】
0006271346.tif 000002
【図２】
0006271346.tif 000003
【図３】
0006271346.tif 000004
【図４】
0006271346.tif 000005
【図５】
0006271346.tif 000006
【図６】
0006271346.tif 000007
【図７Ａ】
0006271346.tif 000008
【図７Ｂ】
0006271346.tif 000009
【図８】
0006271346.tif 000010
【図９】
0006271346.tif 000011
【図１０】
0006271346.tif 000012
【図１１】
0006271346.tif 000013